(57)【要約】【課題】慣性分離式の電気掃除機であっても集塵部に溜まる塵埃が所定量以上になったか否かを確実に報知することができるとともに、風路を通過する塵埃の量も報知することのできる電気掃除機を提供する。【解決手段】塵埃吸込口から吸い込まれた塵埃を塵埃と空気とに分離する塵埃分離部と、この塵埃分離部で分離された塵埃を溜める集塵室部とを備えて電気掃除機において、前記集塵室部に溜まった塵埃が所定量に達したか否かを検出する塵埃検出手段１５００を設け、この塵埃検出手段１５００は、前記集塵室部内に向けて発光する発光ダイオードＤ１と、その集塵室部内を通る光を受光する受光ダイオードＤ２とを有し、この受光ダイオードＤ２の受光状態に基づいて前記塵埃吸込口内を通過する塵埃の量を判断する制御装置２００と、この制御装置２００が判断した塵埃の量を表示する表示部１７とを備えている。【選択図】図１４
2007244711.tif 000002
【特許請求の範囲】
【請求項１】
塵埃吸込口から吸い込まれた塵埃を塵埃と空気とに分離する塵埃分離部と、この塵埃分離部で分離された塵埃を溜める集塵室部とを備えた電気掃除機において、
前記集塵室部に溜まった塵埃が所定量に達したか否かを検出する塵埃検出手段を設け、
この塵埃検出手段は、前記集塵室部内に向けて発光する発光手段と、その集塵室部内を通る光を受光する受光手段とを有し、
この受光手段の受光状態に基づいて前記塵埃吸込口内を通過する塵埃の量を判断する判断手段と、
この判断手段が判断した塵埃の量を表示する表示手段とを備えていることを特徴とする電気掃除機。
【請求項２】
前記受光手段は、前記集塵室部に溜まる塵埃が所定量に達したか否かを検出するための第１受光部と、前記塵埃吸込口内を通過する塵埃の量を判断するための第２受光部とを有し、
この第２受光部が前記第１受光部より上流側に設けられていることを特徴とする請求項１に記載の電気掃除機。
【請求項３】
前記第２受光部は塵埃で反射する反射光を受光することを特徴とする請求項２に記載の電気掃除機。
【発明の詳細な説明】
【技術分野】
【０００１】
この発明は、塵埃吸込口から吸い込まれた塵埃を塵埃と空気とに分離する分離部と、この分離部で分離された塵埃を溜める集塵部とを備えた電気掃除機に関する。
【背景技術】
【０００２】
従来から、風路を通過する塵埃を検出するゴミセンサを手元操作部に設けた電気掃除機が知られている（特許文献１参照）。
【０００３】
かかる電気掃除機は、ゴミセンサが検出するゴミの量に基づいて電動送風機の制御を行うようにしたものである。
【特許文献１】特開平７−３２２９８９号公報
【発明の開示】
【発明が解決しようとする課題】
【０００４】
このような電気掃除機では、ゴミセンサによって風路を通過する塵埃を検出し、電動送風機の入力に基づいて集塵部に溜まった塵埃が満杯、すなわち所定量以上になったか否かを検出するようにしている。
【０００５】
しかしながら、サイクロン式（慣性分離式）の電気掃除機にあっては、集塵部に塵埃が溜まっても吸引力が低下しないため、電動送風機の入力では集塵部に溜まった塵埃が所定量以上になったか否かを判断することができないという問題があった。
【０００６】
この発明の目的は、慣性分離式の電気掃除機であっても集塵部に溜まる塵埃が所定量以上になったか否かを確実に報知することができるとともに、風路を通過する塵埃の量も報知することのできる電気掃除機を提供することにある。
【課題を解決するための手段】
【０００７】
この発明は、塵埃吸込口から吸い込まれた塵埃を塵埃と空気とに分離する塵埃分離部と、この塵埃分離部で分離された塵埃を溜める集塵室部とを備えて電気掃除機において、
前記集塵室部に溜まった塵埃が所定量に達したか否かを検出する塵埃検出手段を設け、
この塵埃検出手段は、前記集塵室部内に向けて発光する発光手段と、その集塵室部内を通る光を受光する受光手段とを有し、
この受光手段の受光状態に基づいて前記塵埃吸込口内を通過する塵埃の量を判断する判断手段と、
この判断手段が判断した塵埃の量を表示する表示手段とを備えていることを特徴とする。
【発明の効果】
【０００８】
この発明によれば、慣性分離式の電気掃除機であっても集塵室部に溜まる塵埃が所定量以上になったか否かを確実に報知することができ、しかも塵埃吸込口内を通過する塵埃の量も報知することができる。
【発明を実施するための最良の形態】
【０００９】
以下、この発明に係る電気掃除機の実施の形態である実施例を図面に基づいて説明する。
【実施例】
【００１０】
図１に示す電気掃除機１０は、掃除機本体１１と、この掃除機本体１１の接続口１１Ａに一端が着脱自在に接続されその他端には手元操作管１３が設けられている集塵ホース１２と、手元操作管１３に着脱自在に接続した延長管１４と、延長管１４の先端部に着脱自在に接続された吸込口体１５とを備えている。手元操作管１３には操作部１３Ａが設けられており、この操作部１３Ａには後述する電動送風機２４の駆動を停止する切スイッチ１３ａや電動送風機２４のパワーを設定する強弱スイッチ１３ｂとが設けられている。また、操作部１３Ａに隣接して風路を通過する塵埃の量を表示する表示部（表示手段）１７が設けられている。
【００１１】
吸込口体１５には、その底面に塵埃を吸引する図示しない吸込開口（塵埃吸込口）を形成した吸込室（図示せず）が形成されており、この吸込室は延長管１４と集塵ホース１２と接続口１１Ａを介して掃除機本体１１内に設けた集塵ユニット５０（図６参照）の吸込接続口５７ａに連通している。
【００１２】
掃除機本体１１は、本体ケース２０と、本体ケース２０内に装着された集塵ユニット５０（図４参照）と、後述する電動送風機２４とを備えている。
【００１３】
本体ケース２０の前側には、図２および図３に示すように、集塵ユニット室２２が形成されており、この集塵ユニット室２２には後述する塵埃分離ユニット４００と集塵部ユニット４１０とが着脱自在に装着されるようになっている。
【００１４】
また、本体ケース２０の後側には電動送風機２４が設けられており、この電動送風機２４の前側（図２において右側）に前面開口２５Ｂを有する円筒状の接続風路部２５が形成され、前面開口２５Ｂにはシール部材２７が装着されている。接続風路部２５の後壁２５Ａには接続開口２５ｂが形成されており、この接続開口２５ｂと電動送風機２４の吸込開口２４Ａとが連通している。
【００１５】
集塵ユニット室２２には、図３に示すように、駆動ギアＧａと、この駆動ギアＧａを回転させる駆動モータＭ１とが設けられている。集塵ユニット室２２の前側の内面壁２２ａには赤外光を発光する発光ダイオード（発光手段）Ｄ１が設けられている。
【００１６】
また、集塵ユニット室２２内には、後述する集塵部７０をポップアップするポップアップ機構（報知手段）１０００（図１１参照）が設けられている。
【００１７】
集塵ユニット室２２の上部には開口２３が形成され（図３参照）、この開口２３は図２に示すように蓋ケース２１Ａ,２１Ｂによって閉鎖されている。
【００１８】
集塵ユニット５０は、図４および図５に示すように、塵埃分離ユニット４００と集塵容器４１０とを備えている。
【００１９】
塵埃分離ユニット４００は、塵埃分離部（慣性分離部）５２と、塵埃分離部５２と一体となっているフィルタ部８０と、このフィルタ部８０の上に設けた蓋ケース２１Ａとから構成されている。
【００２０】
集塵容器４１０は、透明な樹脂製の集塵部７０と、この集塵部７０の上に設けられた蓋ケース２１Ｂとから構成されている。
【００２１】
塵埃分離部５２は、図６に示すように外周壁５３によって円筒状に形成された分離室部５４と、この分離室部５４内に分離室部５４の軸線に沿って設けられたほぼ円錐形状の塵埃分離手段５５と、分離室部５４の右側壁５４Ａの外側に設けた吸引風路部５６と、吸込接続口（塵埃吸込口）５７ａから分離室部５４へ空気を案内する案内風路管５７とを有している。吸込接続口５７ａは、塵埃分離ユニット４００が掃除機本体１１の集塵ユニット室２２に装着されると、掃除機本体１１の接続口１１Ａに連通されるようになっている。
【００２２】
分離室部５４の外周壁５３の上部には、図５に示すように、空気から分離された塵埃を集塵部７０へ導入する導入開口５３Ａが形成されている。
【００２３】
また、分離室部５４の右側壁５４Ａには、図６に示すように、円形の開口１５４Ａと扇状の開口１５４Ｂとが形成され、開口１５４Ａには塵埃分離手段５５が取り付けられており、開口１５４ＢにはネットフィルタＮＦ２（図示せず）が取り付けられている。また、右側壁５４Ａには接続開口５４Ａａが形成され、この接続開口５４Ａａには案内風路管５７が接続されており、分離室部５４と案内風路管５７とが連通している。
【００２４】
塵埃分離手段５５は、複数の枠５５ａと、この枠５５ａの周囲に貼り付けたネットフィルタＮＦ１とから構成されている。そして、吸引風路部５６は、右側壁５４Ａの開口１５４ＡおよびネットフィルタＮＦ１（図５参照）を介して分離室部５４内に連通し、また右側壁５４Ａの開口１５４ＢのネットフィルタＮＦ２（図示せず）を介して分離室部５４内に連通している。
【００２５】
吸引風路部５６は、後述するフィルタ部８０の収納ケース８１内に連通しているとともに、その右側壁部１５６（図５参照）に形成した接続開口５６Ａを介して後述する集塵ケース部７４の集塵室７３に連通している。
【００２６】
案内風路管５７は、分離室部５４の接続開口５４Ａａから分離室部５４内へ導入される空気を図６の矢印に示すように反時計回りに回転させるようになっている。
【００２７】
集塵部７０は、図５および図７に示すように、上部に左右方向に延びた連通路７１を形成した連通ケース部７２と、この連通ケース部７２の右端部から下方に延びるとともに塵埃を集塵する集塵室部７３を形成した集塵ケース部７４とを有している。連通ケース部７２の底壁７２Ｔの下面には、図８に示すように、下方に突出した第１リブ７２Ｒと下方に延びた第２リブ７２Ｍが形成され、第２リブ７２Ｍの下部には図１２に示すように右方へ突出した係合部７２Ｍａが形成されている。
【００２８】
連通ケース部７２の左側の下面には図５および図８に示すように開口７２Ａが形成され、この開口７２Ａは図５に示すように塵埃分離部５２の導入開口５３Ａに接続されている。また、集塵ケース部７４の左側壁部７４Ａには図９に示すように接続開口７５が形成されており、この接続開口７５にはネットフィルタＮＦ３が取り付けられている。
【００２９】
このネットフィルタＮＦ３の外側であって、ネットフィルタＮＦ３から所定距離離間した位置にカバー板１７０が集塵ケース部７４の外壁部に取り付けられている。カバー板１７０の下部には開口１７０Ａが形成されている（図８参照）。
【００３０】
カバー板１７０の開口１７０Ａは、図５に示すように吸引風路部５６の接続開口５６Ａに接続されている。
【００３１】
また、集塵ケース部７４の右側面には、図９に示すように開口７６が形成され、この開口７６に開閉自在に蓋体７７（図７参照）が取り付けられている。蓋体７７は図８に示すように軸部７７Ｊ回りに回動して開閉するようになっている。
【００３２】
そして、塵埃分離ユニット４００を装着した掃除機本体１１の集塵ユニット室２２に集塵容器４１０を装着すると、図５に示すように集塵容器４１０の開口７２Ａに塵埃分離部５２の導入開口５３Ａが接続され、集塵容器４１０のカバー板１７０の開口１７０Ａが塵埃分離ユニット４００の吸引風路部５６の接続開口５６Ａに接続されるようになっている。
【００３３】
フィルタ部８０は、図１０に示すように後面が開口されるとともに円筒状の収納ケース８１と、この収納ケース８１内に回転自在に取り付けられたプリーツフィルタ体（二次フィルタ）１００とを有している。収納ケース８１の前壁部８４の前面には塵埃分離部５２が一体に形成されている（図５および図６参照）。
【００３４】
収納ケース８１の前壁部８４には、図５および図１０に示すように接続開口８４Ａが形成され、この接続開口８４Ａが吸引風路部５６（図５参照）に接続されている。そして、その接続開口８４Ａを介して収納ケース８１内と吸引風路部５６とが連通している。
【００３５】
また、前壁部８４の接続開口８４Ａの縁部には、プリーツフィルタ体１００に向けて突出した突起Ｔ（図２参照）が設けられている。この突起の先端部が後述するプリーツフィルタ１０４の山部に接触するようになっている。また、前壁部８４の前面には受光ダイオード（受光手段：第１受光部）Ｄ２（図６参照）が設けられている。
【００３６】
プリーツフィルタ体１００は、図１０に示すように、筒状の枠体１０１と、この枠体１０１の中心位置に設けた軸部１０１Ａと、この軸部１０１Ａから放射状にプリーツを形成したプリーツフィルタ１０４とを有している。
【００３７】
軸部１０１Ａの軸穴１０１Ａａには、図２に示すように前壁部８４の軸８４Ｊが相対的に回転自在に挿入され、プリーツフィルタ体１００が収納ケース８１内で軸８４Ｊ回りに回転可能となっている。
【００３８】
枠体１０１の後端面にはギア１０７が形成され、このギア１０７は収納ケース８１から外へ突出し、このギア１０７は掃除機本体１１の集塵ユニット室２２の駆動ギアＧａに噛合しており、モータＭ１の駆動によりプリーツフィルタ体１００が収納ケース８１内で回転していくようになっている。
【００３９】
また、塵埃分離ユニット４００を掃除機本体１１の集塵ユニット室２２に装着すると、掃除機本体１１の接続風路部２５の前面開口２５Ｂにシール部材２７を介して塵埃分離ユニット４００の収納ケース８１の後端面が接合され、収納ケース８１内と電動送風機２４の吸込開口２４Ａとが接続風路部２５を介して連通される。
【００４０】
そして、図３に示す発光ダイオードＤ１が発光する赤外光は、集塵ユニット室２２に装着された塵埃分離ユニット４００の集塵部７０の集塵ケース部７４内に向けて投光されるとともに、集塵室部７３のゴミ捨てラインＬ１（図７参照）のレベルに沿って集塵ケース部７４内を透過していくようになっている。この集塵ケース部７４内を透過した赤外光は塵埃分離ユニット４００の前壁部８４の受光ダイオードＤ２に受光されるようになっている。そして、発光ダイオードＤ１と受光ダイオードＤ２とで塵埃検出手段１５００（図５および図７参照）が構成される。
【００４１】
ポップアップ機構（報知手段）１０００は、図１１に示すように、集塵容器４１０をポップアップさせるポップアップ手段１１００と、集塵容器４１０を装着位置に固定するロック手段１２００と、このロック手段１２００のロックを解除させる解除手段１３００とから構成されている。
【００４２】
ポップアップ手段１１００は、塵埃分離ユニット４００の案内風路管５７の上壁面に設けられ且つ上下方向に延びるとともに断面が方形の筒状のガイドケース１１０１と、このガイドケース１１０１内に上下動自在に配置された移動板１１０２と、ガイドケース１１０１内に配置されるとともに移動板１１０２を上方に付勢するスプリング１１０３とを有している。このスプリング１１０３の付勢力により、移動板１１０２を上方に移動させることにより集塵容器４１０をポップアップさせるものである。
【００４３】
ガイドケース１１０１の上端板１１０４には切欠１１０５が形成され、この切欠１１０５に連続してガイドケース１１０１の側壁１１０６に上下方向に延びた切欠１１０７が形成されている。
【００４４】
ロック手段１２００は、案内風路管５７の外面に回動可能に設けられ且つ上方に延びたアーム１２０１と、このアーム１２０１を反時計回りに付勢する図示しないバネとを有している。アーム１２０１の上部には、図１２に示すように集塵部７０の第２リブ７２Ｍの係合部７２Ｍａに係合して集塵容器４１０をロックする係止爪１２０２が形成されている。係止爪１２０２の上面は円弧状に形成されている。アーム１２０１はストッパ１２０４により図１２に示す位置より反時計回りに回動しないようになっている。
【００４５】
そして、集塵容器４１０を掃除機本体１１の開口２３から集塵ユニット室２２へ押し込んでいくと、ガイドケース１１０１の切欠１１０５，１１０７に集塵容器４１０の集塵部７０の第１リブ７２Ｒが入って、図１７に示すように移動板１１０２をスプリング１１０３の付勢力に抗して押し下げていく。そして、さらに集塵容器４１０を押し込むと、図１２に示すように、アーム１２０１の係止爪１２０２が第２リブ７２Ｍの係合部７２Ｍａに係合して集塵容器４１０をロックする。
【００４６】
解除手段１３００は、案内風路管５７の上面に前後方向（図１１において左右方向）に移動可能に設けたスライド部材１３０１と、図１１および図１３に示すように掃除機本体１１の前部に設けられ上部カバーケース１１Ｄの下側に配置したモータＭ２と、このモータＭ２の駆動軸に設けたアーム部材１３０２とを有している。
【００４７】
スライド部材１３０１は、図１１に示すように前後方向に延びた２つのガイド穴１３０３を有し、このガイド穴１３０３内に案内風路管５７の上面に設けたガイド片１３０４が挿入されている。そして、ガイド片１３０４がガイド穴１３０３に沿って相対移動することにより、スライド部材１３０１を前後に案内するようになっている。スライド部材１３０１の後端は図１２に示すようにアーム１２０１の係止爪１２０２の前部に当接している。また、スライド部材１３０１の先端部には当接部１３０１Ａが形成されている。
【００４８】
アーム部材１３０２は、図１１に示すようにＬ字形に形成され、その先端部１３０２Ａはスライド部材１３０１の当接部１３０１Ａに当接している。アーム部材１３０２の後部に設けた軸受部１３０２ＢがモータＭ２の駆動軸Ｍ２ａに装着されている。
【００４９】
そして、モータＭ２が駆動されると、アーム部材１３０２が図１１において時計回りに回動して、スライド部材１３０１を後方（図１１において右方）へ移動されるようになっている。このスライド部材１３０１の後方への移動により、アーム１２０１の係止爪１２０２が集塵部７０の第２リブ７２Ｍの係合部７２Ｍａから外れて、集塵部７０のロックが解除される。
【００５０】
図１４はこの電気掃除機の制御系の構成を示したブロック図である。図１４において、２００は操作部１３Ａの操作スイッチ１３ａ（図１参照）の操作や受光ダイオードの受光信号に基づいて電動送風機２４やモータＭ１，Ｍ２を制御する制御装置（判断手段）である。また、制御装置２００は、受光ダイオードＤ２の受光状態に基づいて集塵部７０の連通ケース部７２内を通過する塵埃の量を判断して表示部１７に表示する。
［動  作］
次に、上記のように構成される電気掃除機の動作について説明する。
【００５１】
先ず、図２に示すように、集塵ユニット５０を掃除機本体１１の集塵ユニット室２２に装着し、図１に示すように集塵ホース１２を掃除機本体１１の接続口１１Ａに接続するとともに手元操作管１３に延長管１４を介して吸込口体１５を接続する。
【００５２】
そして、図示しない電源プラグをコンセントに接続すると、制御装置２００は発光ダイオードＤ１を発光させる。発光ダイオードＤ１から発光される赤外光は受光ダイオードＤ２が受光する。
【００５３】
手元操作管１３の操作部１３Ａのスイッチ１３ｂが操作されると、電動送風機２４が駆動される。この電動送風機２４の駆動により、電動送風機２４の吸込開口２４Ａから空気が吸い込まれて、接続風路部２５を介して集塵ユニット５０の収納ケース８１内に負圧が作用し、さらに吸引風路部５６を介して集塵ケース部７４内や塵埃分離部５２の分離室部５４に作用する。そして、その負圧が案内風路管５７を介して集塵ホース１２,延長管１４および吸込口体１５に作用し、吸込口体１５から空気とともに塵埃が吸引されていく。
【００５４】
この吸引された塵埃および空気が延長管１４および集塵ホース１２を介して集塵ユニット５０の吸込接続口５７ａへ吸引されていく。この吸込接続口５７ａへ吸引された塵埃および空気は案内風路管５７を通って塵埃分離部５２の分離室部５４内へ導入され、この分離室部５４内では図６において反時計回りに回転していく。
【００５５】
そして、この回転により塵埃と空気が慣性により分離され、空気が塵埃分離手段５５のネットフィルタＮＦ１（図５参照）や開口１５４ＢのネットフィルタＮＦ２（図示せず）を通り、さらに吸引風路部５６を通ってフィルタ部８０の収納ケース８１内へ吸引されていく。
【００５６】
他方、分離された塵埃は、慣性力によって分離室部５４の導入開口５３Ａの集塵部７０の連通ケース部７２内へ一部の空気とともに導入される。この導入された塵埃および空気は連通ケース部７２の連通路７１を通って集塵室部７３へ吸引されていき、塵埃は集塵室部７３に集塵されていく。
【００５７】
集塵室部７３へ吸引された空気は、ネットフィルタＮＦ３およびカバー板１７０の下部の開口１７０Ａを通って吸引風路部５６に吸引され、さらにフィルタ部８０の収納ケース８１内へ吸引されていく。
【００５８】
収納ケース８１内へ吸引された空気は、プリーツフィルタ体１００のプリーツフィルタ１０４を通って掃除機本体１１の接続風路部２５へ吸引され、さらに電動送風機２４の吸込開口２４Ａへ吸引されていく。
【００５９】
電動送風機２４の吸込開口２４Ａへ吸引された空気は電動送風機２４内を通って図２に示す掃除機本体１１の排気口２０Ｈから排気されていく。
【００６０】
一方、集塵室部７３に塵埃が集塵されていく際、その塵埃は受光ダイオードＤ２が受光する赤外光を遮光していくので、受光ダイオードＤ２は断続的に赤外光を受光することになる。
【００６１】
制御装置２００は、受光ダイオードＤ２の受光状態に応じて集塵部７０の連通ケース部７２内である連通路７１を通過する塵埃の量、すなわち吸込接続口（塵埃吸込口）５７ａ内を通過する塵埃の量を求めて手元操作管１３の表示部１７に表示する。ここでは、所定時間内において受光ダイオードＤ２が遮光される遮光時間の合計に基づいて塵埃の通過量を求める。すなわち、所定時間内における合計した遮光時間が長ければ塵埃の通過量が多く、その合計した遮光時間が短ければ塵埃の通過量が少ないと判断して、その通過量を表示部１７に表示する。
【００６２】
この表示部１７の塵埃の通過量の表示により、掃除している被清掃面がまだ汚れているか否か、すなわち被清掃面にまだ塵埃が付着しているか否かが分かることになる。
【００６３】
そして、集塵部７０の連通路７１を通過した塵埃は集塵室部７３に集塵されていき、この集塵室部７３に溜まった塵埃がゴミ捨てラインＬ１のレベルに達すると、その塵埃が赤外光を遮光し続けるので、受光ダイオードＤ２は赤外光を受光しなくなる。
【００６４】
制御装置２００は、受光ダイオードＤ２が赤外光を所定時間以上継続して受光しないとき、集塵室部７３に溜まった塵埃が所定量、すなわちゴミ捨てラインＬ１のレベルに達したと判断する。
【００６５】
このように、１つの受光ダイオードＤ２の受光状態に基づいて集塵部７０の連通路７１を通過する塵埃の量と、集塵室部７３に溜まった塵埃が所定量に達したか否かを判断するようにしたものであるから、それぞれ専用の受光ダイオードを設ける必要がなく、このため安価な電気掃除機を提供することができる。
【００６６】
制御装置２００は、操作部１３Ａの切スイッチ１３ａが操作された際に、電動送風機２４の駆動を停止させるとともに、ポップアップ機構１０００のモータＭ２を所定時間だけ駆動させる。このモータＭ２の駆動により、アーム部材１３０２が時計回り（図１１において）に回動し、スライド部材１３０１が図１２に示す位置から後方へ移動して、アーム１２０１の係止爪１２０２を後方へ押す。これにより、アーム１２０１が図示しないバネの付勢力に抗して時計回りに回動し、アーム１２０１の係止爪１２０２が集塵部７０の第２リブ７２Ｍの係合部７２Ｍａから外れて、集塵容器４１０のロックが解除される。
【００６７】
このロックが解除されると、ガイドケース１１０１内の移動板１１０２がスプリング１１０３の付勢力により上方に移動していき、図１５に示すように第１リブ７２Ｒを集塵容器４１０とともに上に押し上げていく。すなわち、図１６に示すように集塵容器４１０をポップアップさせる。このポップアップにより、使用者は集塵容器４１０の集塵室部７３に塵埃がゴミ捨てラインＬ１（図７参照）のレベルまで溜まったことが分かり、速やかに集塵室部７３に溜まった塵埃を捨てることができ、集塵室部７３に溜まる塵埃があふれてしまうことを未然に防止することができる。
【００６８】
集塵室部７３に溜まった塵埃がゴミ捨てラインＬ１のレベルに達してから、予め設定した設定時間（所定時間）を経過しても操作部１３Ａの切スイッチ１３ａが操作されない場合、制御装置２００は電動送風機２４の駆動を強制的に停止させるとともに、モータＭ２を駆動させて集塵容器４１０をポップアップさせる。
【００６９】
このため、操作部１３Ａの切スイッチ１３ａが操作されなくても集塵室部７３に溜まる塵埃があふれてしまうことを未然に防止することができる。
【００７０】
ところで、電動送風機２４の駆動が停止されると、モータＭ１が一定時間駆動される。このモータＭ１の駆動により駆動ギアＧａが回転してプリーツフィルタ体１００が回転していく。
【００７１】
このプリーツフィルタ体１００の回転により、プリーツフィルタ１０４の山部に塵埃分離ユニット４００の前壁部８４に設けた突起Ｔ（図２参照）の先端部が接触して、プリーツフィルタ１０４に振動を与えてこのプリーツフィルタ１０４に付着した塵埃を落としていく。
【００７２】
上記実施例では、集塵容器４１０をポップアップさせることにより、集塵室部７３に溜まった塵埃がゴミ捨てラインＬ１のレベルに達したことを報知するようにしているが、これに限らず例えばブザーを鳴らしたり、ランプを点灯表示して報知するようにしてもよい。
［第２実施例］
図１８は第２実施例の電気掃除機の塵埃検出手段１６００の構成を示したものである。図１８において、１６０１は集塵部７０の連通ケース部７２内および集塵室部７３内に向けて赤外光を発光する発光ダイオードＤ１や投光レンズＤＬ１等から構成される発光器であり、この発光器１６０１から発光された赤外光は破線で示す範囲を透過していくとともに、集塵室部７３のゴミ捨てラインＬ１（図７参照）のレベルに沿って集塵ケース部７４内を透過するようになっている。
【００７３】
１６０２は連通ケース部７２内を透過してきた赤外光を受光する受光器であり、この受光器１６０２は受光ダイオード（第１受光部）Ｄ３と集光レンズＤＬ３等から構成されている。１６０３は集塵室部７３内を透過してきた赤外光を受光する受光器であり、この受光器１６０３は受光ダイオード（第１受光部）Ｄ４と集光レンズＤＬ４等から構成されている。そして、受光器１６０２は受光器１６０３より上流側に配置されている。
【００７４】
図１９は第２実施例の電気掃除機の制御系の構成を示したブロック図である。図１９に示す制御装置２１０は受光器１６０２の受光状態に基づいて連通ケース部７２内を通過する塵埃の量を求めて表示部１７に表示させる。また、制御装置２１０は、受光器１６０３の受光に基づいて集塵室部７３に溜まった塵埃がゴミ捨てラインＬ１の位置まで溜まったことを判断してモータＭ２を駆動させる。
【００７５】
この第２実施例によれば、集塵室部７３のゴミ捨てラインＬ１の位置まで塵埃が溜まっても、連通ケース部７２内を通過する塵埃の量を求めることができ、しかも発光器１６０１を１つ設けているだけなので、塵埃検出手段１６００は安価なものとなる。
【００７６】
図２０は第２実施例の他の例の塵埃検出手段１６１０を示したものである。この実施例では受光器１６０２を連通ケース部７２内を通過する塵埃で反射する赤外光を受光するようにしたものである。この実施例によれば、連通ケース部７２内を通過する塵埃を広範囲に亘って測定することができることになる。この実施例でも受光器１６０２は受光器１６０３より上流側に配置されている。
【図面の簡単な説明】
【００７７】
【図１】この発明に係る電機掃除機の外観を示した斜視図である。
【図２】図１に示す掃除機本体の構成を示した縦断面図である。
【図３】集塵ユニットを取り外した掃除機本体を示した斜視図である。
【図４】集塵ユニットの外観を示した斜視図である。
【図５】図４に示す集塵ユニットの横断面図である。
【図６】塵埃分離ユニットの外観を示した斜視図である。
【図７】集塵容器の外観を示した斜視図である。
【図８】図７の集塵容器を他の方向から見た斜視図である。
【図９】蓋体を外した集塵容器を示した斜視図である。
【図１０】集塵ユニットの後方から見た斜視図である。
【図１１】集塵容器を取り外した掃除機本体の主要部を示した斜視図である。
【図１２】ポップアップ手段とロック手段の構成を示した説明図である。
【図１３】ロック解除手段の構成を示した説明図である。
【図１４】電気掃除機の制御系の構成を示したブロック図である。
【図１５】集塵容器がポップアップされたときのポップアップ手段とロック手段を示した説明図である。
【図１６】集塵容器がポップアップされた電気掃除機を示した説明図である。
【図１７】集塵容器がロックされる直前の状態を示した説明図である。
【図１８】第２実施例の電気掃除機の塵埃検出手段の構成を示した説明図である。
【図１９】第２実施例の電気掃除機の制御系の構成を示したブロック図である。
【図２０】第２実施例の他の例の塵埃検出手段の構成を示した説明図である。
【符号の説明】
【００７８】
１１          掃除機本体
１７          表示部（表示手段）
２４          電動送風機
５２          塵埃分離部
７３          集塵室部
２００        制御装置（判断手段）
Ｄ１          発光ダイオード（発光手段）
Ｄ２          受光ダイオード（受光手段）
【図１】
2007244711.tif 000003
【図２】
2007244711.tif 000004
【図３】
2007244711.tif 000005
【図４】
2007244711.tif 000006
【図５】
2007244711.tif 000007
【図６】
2007244711.tif 000008
【図７】
2007244711.tif 000009
【図８】
2007244711.tif 000010
【図９】
2007244711.tif 000011
【図１０】
2007244711.tif 000012
【図１１】
2007244711.tif 000013
【図１２】
2007244711.tif 000014
【図１３】
2007244711.tif 000015
【図１４】
2007244711.tif 000016
【図１５】
2007244711.tif 000017
【図１６】
2007244711.tif 000018
【図１７】
2007244711.tif 000019
【図１８】
2007244711.tif 000020
【図１９】
2007244711.tif 000021
【図２０】
2007244711.tif 000022